(57)【要約】【課題】複数種の光ディスクに対して選択的に記録又は再生が可能な光ピックアップ装置に対して生産性を向上させる。【解決手段】選択された各光ディスクＤの径方向に移動自在に設けられた光ピックアップベース２１と、光ピックアップベース２１上で第１，第２記録再生位置間をスライドシャフト３３に沿いながら各光ディスクＤの径方向と直交した接線方向に移動する光ピックアップ移動体３１と、光ピックアップベース２１に取り付けられて光ピックアップ移動体３１を移動させる駆動源３６，３７と、第１対物レンズ６２Ａを内蔵した第１対物レンズ組立体６０Ａと、第２対物レンズ６２Ｂを内蔵した第２対物レンズ組立体６０Ｂと、を備え、第１，第２対物レンズ組立体６０Ａ，６０Ｂを光ピックアップ移動体３１上に各光ディスクＤの接線方向に沿って接着剤を用いて固着したことを特徴とする光ピックアップ装置２０を提供する。【選択図】図１
2008234694.tif 000002
【特許請求の範囲】
【請求項１】
複数種の光ディスクに対して選択的に記録又は再生が可能な光ピックアップ装置において、
選択された各光ディスクの径方向に移動自在に設けられ、且つ、前記各光ディスクに対応した半導体レーザを複数個搭載した光ピックアップベースと、
前記光ピックアップベース上に間隔を離して形成した第１，第２ストッパにそれぞれ当接する第１，第２記録再生位置間をガイド部材に沿いながら前記各光ディスクの径方向と直交した接線方向に移動する光ピックアップ移動体と、
前記光ピックアップベースに取り付けられて前記光ピックアップ移動体を移動させる駆動源と、
第１開口数の第１対物レンズを内蔵したレンズホルダを、このレンズホルダとヨークベース上のサスペンションホルダ側との間に取り付けた複数本のサスペンションワイヤを介して揺動自在に支持した第１対物レンズ組立体と、
前記第１開口数とは異なる第２開口数の第２対物レンズを内蔵したレンズホルダを、このレンズホルダとヨークベース上のサスペンションホルダ側との間に取り付けた複数本のサスペンションワイヤを介して揺動自在に支持した第２対物レンズ組立体と、を備え、
前記第１，第２対物レンズ組立体を前記光ピックアップ移動体上に前記第１，第２記録再生位置と対応して前記各光ディスクの接線方向に沿って接着剤を用いて固着したことを特徴とする光ピックアップ装置。
【請求項２】
前記第１，第２対物レンズ組立体内の前記第１，第２対物レンズが前記各光ディスクの信号面に対して略垂直な姿勢を取るように前記第１，第２対物レンズ組立体を前記光ピックアップ移動体上に前記接着剤を用いて固着させたことを特徴とする請求項１記載の光ピックアップ装置。
【請求項３】
前記第１，第２対物レンズ組立体を前記光ピックアップ移動体上に前記接着剤を用いて固着させる際に、前記第１，第２対物レンズ組立体用の一対の前記サスペンションホルダを第１，第２対物レンズを挟んで互いに対向配置させたことを特徴とする請求項１又は請求項２記載の光ピックアップ装置。
【請求項４】
前記光ピックアップ移動体は、前記半導体レーザから出力されたレーザ光を入射させるために第１対物レンズ用のレーザ光通過孔と第２対物レンズ用のレーザ光通過孔とを２個有し、且つ、前記レーザ光が入射する下面側で各レーザ光通過孔の入口稜部周囲に所定の角度傾斜させたレーザ光反射用テーパ孔部を有しており、該レーザ光反射用テーパ孔部で前記レーザ光通過孔の孔径よりも外側から入射される前記レーザ光をこの光束の内側に向かって反射させることを特徴とする請求項１〜請求項３のうちいずれか１項記載の光ピックアップ装置。
【発明の詳細な説明】
【技術分野】
【０００１】
本発明は、複数種の光ディスクに対して選択的に記録又は再生が可能な光ピックアップ装置に関するものである。
【背景技術】
【０００２】
一般的に、円盤状の光ディスクやカード状の光カードなどの光記録媒体は、映像情報とか音声情報やコンピュータデータなどの情報信号を透明基板上で螺旋状又は同心円状に形成したトラックに高密度に記録し、且つ、記録済みのトラックを再生する際に所望のトラックを高速にアクセスできることから多用されている。
【０００３】
この種の光記録媒体となる光ディスクとして、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などは既に市販され、最近では、より一層高密度化を図った２種類の高密度光ディスクが流通している。
【０００４】
即ち、２種類の高密度光ディスクは、Ｂｌｕ−ｒａｙ  Ｄｉｓｃ及びＨＤ  ＤＶＤ（Ｈｉｇｈ  Ｄｅｆｉｎｉｔｉｏｎ  ＤＶＤ）である。
【０００５】
まず、上記したＣＤは、波長が７８０ｎｍ前後のレーザ光を開口数（ＮＡ）が０．４５〜０．５程度の対物レンズで絞って得たレーザビームを照射して、レーザビーム入射面から１．２ｍｍ隔てた位置にある信号面に情報信号が記録され、記録済みの情報信号を再生している。
【０００６】
また、上記したＤＶＤは、波長が６５０ｎｍ前後のレーザ光を開口数（ＮＡ）が０．６から０．６５程度の対物レンズで絞って得たレーザビームを照射して、レーザビーム入射面から０．６ｍｍ隔てた位置にある信号面に情報信号が記録され、記録済みの情報信号を再生している。この際、ＤＶＤの記録容量はＣＤよりも６〜８倍程度高めてディスク基板の直径が１２ｃｍの時に片面で４．７ＧＢ（ギガバイト）程度である。
【０００７】
また、上記したＢｌｕ−ｒａｙ  Ｄｉｓｃは、波長が４０５ｎｍ前後のレーザ光を開口数（ＮＡ）が０．８５程度の対物レンズで絞って得たレーザビームを照射して、レーザビーム入射面から０．１ｍｍ隔てた位置にある信号面に情報信号が記録され、記録済みの情報信号を再生している。この際、Ｂｌｕ−ｒａｙ  Ｄｉｓｃの記録容量はＤＶＤよりも５倍程度高めてディスク基板の直径が１２ｃｍの時に片面で２５ＧＢ（ギガバイト）程度である。
【０００８】
また、上記したＨＤ  ＤＶＤは、波長が４０５ｎｍ前後のレーザ光を開口数（ＮＡ）が０．６５程度の対物レンズで絞って得たレーザビームを照射して、レーザビーム入射面から０．６ｍｍ隔てた位置にある信号面に情報信号が記録され、記録済みの情報信号を再生している。この際、ＨＤ  ＤＶＤの記録容量はＤＶＤよりも３倍程度高めてディスク基板の直径が１２ｃｍの時に片面で１５ＧＢ（ギガバイト）程度である。
【０００９】
そして、上記のような複数種の光ディスクに対して選択的に記録又は再生をする光ディスク装置として、開口数（ＮＡ）の異なる２つの対物レンズを備え、各対物レンズを複数種の光ディスクに対応して選択的に切り換えるように構成した光ディスク装置がある（例えば、特許文献１参照）。
【００１０】
また、Ｂｌｕ−ｒａｙ  Ｄｉｓｃ，ＨＤ  ＤＶＤ，ＤＶＤ，ＣＤなどの複数種の光ディスクに対して記録又は再生する場合の光学系を備えた光ピックアップ装置及び光学的情報処理装置がある（例えば、特許文献２参照）。
【特許文献１】特開２００４−３１８９７３号公報
【特許文献２】特開２００７−２６５４０号公報
【００１１】
図１９は従来の光ディスク装置を示した斜視図である。
【００１２】
図１９に示した従来の光ディスク装置１００は、上記した特許文献１（特開２００４−３１８９７３号公報）に開示されているものであり、ここでは特許文献１を参照して簡略に説明する。
【００１３】
図１９に示した如く、従来の光ディスク装置１００では、不図示の筺体内に複数種の光ディスクＤを選択的に搭載して回転駆動するスピンドルモータ１０１が取り付けられている。
【００１４】
また、スピンドルモータ１０１の右方には、複数種の光ディスクＤに対して選択的に記録又は再生をするための光ピックアップ装置１１０が所定の間隔を離して互いに平行に設けられたスクリューシャフト１０２とガイドシャフト１０３とに沿って光ディスクＤの径方向となる矢印Ｘ１，Ｘ２方向に直線移動自在に設けられている。
【００１５】
上記した光ピックアップ装置１１０は、スクリューシャフト１０２とガイドシャフト１０３とに案内される箱状の光ピックアップベース１１１内に複数種の光ディスクＤに対応して複数の半導体レーザや複数の光学部品が搭載されていると共に、この光ピックアップベース１１１の上面１１１ａ上に直線移動機構１２０を採用した光ピックアップ移動体１２１が２本のスライドシャフト１１２（図１９では１本のみ図示）に沿って光ディスクＤの径方向と直交した接線方向となる矢印Ｙ１，Ｙ２方向に直線移動自在に設けられている。
【００１６】
また、上記した光ピックアップ移動体１２１の上面１２１ａには、光ピックアップ装置１１０を構成する構成部材として、開口数（ＮＡ）が０．６５の第１対物レンズ１２２を内蔵した第１レンズホルダ１２３が複数本の第１ワイヤ１２４により揺動自在に取り付けられ、且つ、開口数（ＮＡ）が０．８５の第２対物レンズ１２５を内蔵した第２レンズホルダ１２６が複数本の第２ワイヤ１２７により揺動自在に取り付けられており、この際に第１，第２レンズホルダ１２３，１２６同士が矢印Ｙ１，Ｙ２方向に沿って互いに対向している。
【００１７】
ここで、複数種の光ディスクＤに対して選択的に記録又は再生をするには、光ディスクＤの種類に対応して第１対物レンズ１２２又は第２対物レンズ１２５を光ディスクＤの中心を通り且つスクリューシャフト１０２及びガイドシャフト１０３と平行な仮想中心線Ｋに沿って移動できるように第１対物レンズ１２２又は第２対物レンズ１２５の各位置を切り換える必要がある。
【００１８】
これに伴って、光ピックアップ移動体１２１には、スクリューシャフト１０２側の側面１２１ｂにラック部１２１ｃが形成されている。
【００１９】
また、スクリューシャフト１０２の右端近傍にはレンズ切換駆動部１３０が設けられており、このレンズ切換駆動部１３０は、モータ１３１の軸に取り付けたギア１３２と、ギア１３２に噛合する大径ギア１３３ａと光ピックアップ移動体１２１に形成したラック部１２１ｃに噛合する小径ギア１３３ｂとを一体的に形成した二段ギア１３３とから構成されている。
【００２０】
そして、光ピックアップ装置１１０を矢印Ｘ１方向に移動させた時に、光ピックアップベース１１１上の光ピックアップ移動体１２１に形成したラック部１２１ｃが二段ギア１３３の小径ギア１３３ｂに噛合することで、光ピックアップ移動体１２１を矢印Ｙ１，Ｙ２方向に直線的に移動させることができるので、第１対物レンズ１２２を内蔵した第１レンズホルダ１２３を第１記録再生位置となる第１停止位置に位置決め固定するか、又は、第２対物レンズ１２５を内蔵した第２レンズホルダ１２６を第２記録再生位置となる第２停止位置に位置決め固定するかを切り換えることができるようになっている。
【発明の開示】
【発明が解決しようとする課題】
【００２１】
ところで、従来の光ディスク装置１００によれば、前述したように、光ディスクＤの種類に対応して光ピックアップ装置１１０の光ピックアップベース１１１上に取り付けた光ピックアップ移動体１２１を光ディスクＤの径方向に対して直交する接線方向（矢印Ｙ１，Ｙ２方向）に直線的に移動させて、光ピックアップ移動体１２１上に取り付けた第１レンズホルダ１２３内の第１対物レンズ１２２を第１停止位置に位置決め固定するか、又は、光ピックアップ移動体１２１上に取り付けた第２レンズホルダ１２６内の第２対物レンズ１２５を第２停止位置に位置決め固定するかを切り換えているので、複数種の光ディスクＤに対して選択的に記録又は再生をすることができるものの、第１対物レンズ１２２を内蔵した第１レンズホルダ１２３と第２対物レンズ１２５を内蔵した第２レンズホルダ１２６とが光ピックアップ移動体１２１上に直接取り付けられているために、第１，第２対物レンズ１２２，１２５を複数本の第１，第２ワイヤ１２４，１２７を介して電磁的に揺動させるための複数のマグネット（図示せず）をピックアップ移動体１２１上に固着させる際に、複数のマグネット（図示せず）のピックアップ移動体１２１上への取り付け位置調整などを行わなければならないために、光ピックアップ装置１１０の生産性が低下してしまう。
【００２２】
また、第１対物レンズ１２２を内蔵した第１レンズホルダ１２３と第２対物レンズ１２５を内蔵した第２レンズホルダ１２６とが光ピックアップ移動体１２１上に直接取り付けられているために、第１対物レンズ１２２と第２対物レンズ１２５とを複数種の光ディスクＤの各信号面（図示せず）に対して略垂直な姿勢を取るように個別にチルト調整を行うことができない。
【００２３】
一方、先に示した特開２００７−２６５４０号公報に開示された光ピックアップ装置及び光学的情報処理装置によれば、ＨＤ  ＤＶＤとＢｌｕ−ｒａｙ  Ｄｉｓｃのように、同じ波長のレーザ光を用いる基板厚の異なる二つの光ディスクを、一つの光学的情報処理装置で取り扱えるようにし、また、ＣＤやＤＶＤのように更に他の光ディスクとの互換性を実現して、記録又は再生処理が可能な技術的思想が開示されているものの、同号公報では光学系のみについて開示されているにすぎない。
【００２４】
そこで、複数種の光ディスクに対して選択的に記録又は再生が可能な光ピックアップ装置において、光ピックアップベース上に取り付けた光ピックアップ移動体を光ディスクの径方向に対して直交する接線方向に移動させ、且つ、この光ピックアップ移動体上に第１対物レンズを内蔵した第１レンズホルダを複数本のサスペンションワイヤを介して揺動自在に支持した第１対物レンズ組立体と、第２対物レンズを内蔵した第２レンズホルダを複数本のサスペンションワイヤを介して揺動自在に支持した第２対物レンズ組立体とを生産性良く取り付けることができると共に、第１，第２対物レンズを複数種の光ディスクの各信号面に対して略垂直な姿勢を取るようにそれぞれ個別にチルト調整した状態で取り付けることができ、且つ、第１，第２対物レンズ組立体の小型化ができ、更に、複数の半導体レーザから出射させた各レーザ光を第１，第２対物レンズ組立体に良好に入射させることができる光ピックアップ装置が望まれている。
【課題を解決するための手段】
【００２５】
本発明は上記課題に鑑みてなされたものであり、請求項１記載の発明は、複数種の光ディスクに対して選択的に記録又は再生が可能な光ピックアップ装置において、
選択された各光ディスクの径方向に移動自在に設けられ、且つ、前記各光ディスクに対応した半導体レーザを複数個搭載した光ピックアップベースと、
前記光ピックアップベース上に間隔を離して形成した第１，第２ストッパにそれぞれ当接する第１，第２記録再生位置間をガイド部材に沿いながら前記各光ディスクの径方向と直交した接線方向に移動する光ピックアップ移動体と、
前記光ピックアップベースに取り付けられて前記光ピックアップ移動体を移動させる駆動源と、
第１開口数の第１対物レンズを内蔵したレンズホルダを、このレンズホルダとヨークベース上のサスペンションホルダ側との間に取り付けた複数本のサスペンションワイヤを介して揺動自在に支持した第１対物レンズ組立体と、
前記第１開口数とは異なる第２開口数の第２対物レンズを内蔵したレンズホルダを、このレンズホルダとヨークベース上のサスペンションホルダ側との間に取り付けた複数本のサスペンションワイヤを介して揺動自在に支持した第２対物レンズ組立体と、を備え、
前記第１，第２対物レンズ組立体を前記光ピックアップ移動体上に前記第１，第２記録再生位置と対応して前記各光ディスクの接線方向に沿って接着剤を用いて固着したことを特徴とする光ピックアップ装置である。
【００２６】
また、請求項２記載の発明は、前記第１，第２対物レンズ組立体内の前記第１，第２対物レンズが前記各光ディスクの信号面に対して略垂直な姿勢を取るように前記第１，第２対物レンズ組立体を前記光ピックアップ移動体上に前記接着剤を用いて固着させたことを特徴とする請求項１記載の光ピックアップ装置である。
【００２７】
また、請求項３記載の発明は、前記第１，第２対物レンズ組立体を前記光ピックアップ移動体上に前記接着剤を用いて固着させる際に、前記第１，第２対物レンズ組立体用の一対の前記サスペンションホルダを第１，第２対物レンズを挟んで互いに対向配置させたことを特徴とする請求項１又は請求項２記載の光ピックアップ装置である。
【００２８】
更に、請求項４記載の発明は、請求項１〜請求項３のうちいずれか１項記載の光ピックアップ装置において、
前記光ピックアップ移動体は、前記半導体レーザから出力されたレーザ光を入射させるために第１対物レンズ用のレーザ光通過孔と第２対物レンズ用のレーザ光通過孔とを２個有し、且つ、前記レーザ光が入射する下面側で各レーザ光通過孔の入口稜部周囲に所定の角度傾斜させたレーザ光反射用テーパ孔部を有しており、該レーザ光反射用テーパ孔部で前記レーザ光通過孔の孔径よりも外側から入射される前記レーザ光をこの光束の内側に向かって反射させることを特徴とする光ピックアップ装置である。
【発明の効果】
【００２９】
請求項１記載の光ピックアップ装置によると、複数種の光ディスクに対して選択的に記録又は再生が可能な光ピックアップ装置において、とくに、第１，第２対物レンズ組立体を光ピックアップ移動体上で第１，第２記録再生位置と対応して各光ディスクの接線方向に沿って接着剤を用いて固着したために、第１，第２対物レンズ組立体をそれぞれ個別に組み立てた後に、第１，第２対物レンズ組立体を光ピックアップ移動体上に容易に固着できるので、光ピックアップ装置に対して生産性を向上させることができる。
【００３０】
また、請求項２記載の光ピックアップ装置によると、とくに、第１，第２対物レンズ組立体内の第１，第２対物レンズが各光ディスクの信号面に対して略垂直な姿勢を取るように第１，第２対物レンズ組立体を光ピックアップ移動体上に接着剤を用いて固着させたために、従来例と異なって、第１，第２対物レンズを各光ディスクの信号面に対して略垂直な姿勢を取るようにそれぞれ個別にチルト調整できるので、光ピックアップ装置の性能向上を図ることができる。
【００３１】
また、請求項３記載の光ピックアップ装置によると、とくに、第１，第２対物レンズ組立体を光ピックアップ移動体上に接着剤を用いて固着させる際に、第１，第２対物レンズ組立体用の一対のサスペンションホルダを第１，第２対物レンズを挟んで互いに対向配置させたために、光ピックアップ移動体は光ディスクの接線方向の幅を小さく設定できるので、光ピックアップ装置の小型化を図ることができる。
【００３２】
更に、請求項４記載の光ピックアップ装置によると、とくに、光ピックアップ移動体は、半導体レーザから出力されたレーザ光を入射させるために第１対物レンズ用のレーザ光通過孔と第２対物レンズ用のレーザ光通過孔とを２個有し、且つ、各レーザ光が入射する下面側でレーザ光通過孔の入口稜部周囲に所定の角度傾斜させたレーザ光反射用テーパ孔部を有しているために、複数の半導体レーザから出射させた各レーザ光の光束が光ピックアップ移動体に形成した各レーザ光通過孔の孔径よりも太径であった際に、レーザ光通過孔の孔径よりも外側から入射される各レーザ光はレーザ光反射用テーパ孔部によって光束の方向とは異なって光束の内側に向かって反射されるために、レーザ光反射用テーパ孔部で反射された反射光が複数の半導体レーザ側に戻ることがないので、複数の半導体レーザに対して反射光の影響が生じないために、複数の半導体レーザでレーザ出力の安定的発光を行うことができる。
【発明を実施するための最良の形態】
【００３３】
以下に本発明に係る光ピックアップ装置の一実施例について図１〜図１８を参照して詳細に説明する。
【実施例】
【００３４】
図１は本発明に係る光ピックアップ装置を適用した光ディスク装置を示した斜視図、
図２は本発明に係る光ピックアップ装置を適用した光ディスク装置を示した平面図であり、（ａ）は第１対物レンズが第１停止位置に至った状態を示し、（ｂ）は第２対物レンズが第２停止位置に至った状態を示した図である。
【００３５】
図１に示した如く、本発明に係る光ピックアップ装置２０では、高密度光ディスクとして２つの規格によるＢｌｕ−ｒａｙ  Ｄｉｓｃ，ＨＤ  ＤＶＤが流通し始めていることと、既に多くが出回っているＤＶＤ又はＣＤの資産も活用できるようにするために、Ｂｌｕ−ｒａｙ  Ｄｉｓｃ，ＤＶＤ，ＣＤを含む３種類、又は、Ｂｌｕ−ｒａｙ  Ｄｉｓｃ，ＨＤ  ＤＶＤ，ＤＶＤを含む３種類、もしくは、Ｂｌｕ−ｒａｙ  Ｄｉｓｃ，ＨＤ  ＤＶＤ，ＤＶＤ，ＣＤを含む４種類の光ディスクＤに対して記録又は再生をすることができるように構成されている。
【００３６】
以下、実施例について具体的に説明に説明すると、図１に示した如く、本発明に係る光ピックアップ装置２０を適用した光ディスク装置１０では、不図示の筺体内にＢｌｕ−ｒａｙ  Ｄｉｓｃ，ＨＤ  ＤＶＤ，ＤＶＤ，ＣＤなどの複数種の光ディスクＤを選択的に搭載して回転駆動するスピンドルモータ１１が取り付けられている。
【００３７】
また、スピンドルモータ１１の右方には、複数種の光ディスクＤに対して選択的に記録又は再生が可能な光ピックアップ装置２０が不図示の筺体内で所定の間隔を離して互いに平行に設置した２本のガイドシャフト１２，１３に沿って光ディスクＤの径方向となる矢印Ｘ１，Ｘ２方向に直線移動自在に設けられている。
【００３８】
上記した光ピックアップ装置２０は、基台となる光ピックアップベース２１がアルミダイキャスト材を用いて箱状に形成されており、この光ピックアップベース２１のうちでガイドシャフト１２側に不図示のナット部材が取り付けられて、このナット部材が不図示のモータに固着したリードスクリューに螺合しているので、光ピックアップベース２１が矢印Ｘ１，Ｘ２方向に直線移動可能となっている。
【００３９】
また、光ピックアップベース２１内には、Ｂｌｕ−ｒａｙ  Ｄｉｓｃ，ＨＤ  ＤＶＤ，ＤＶＤ，ＣＤなどの複数種の光ディスクＤに対応して複数の半導体レーザや複数の光学部品が搭載されており、Ｂｌｕ−ｒａｙ  Ｄｉｓｃ用及びＨＤ  ＤＶＤ用として波長λが４０５ｎｍ前後のレーザ光を出射する第１半導体レーザ（図示せず）と、ＤＶＤ用として波長λが６５０ｎｍ前後のレーザ光を出射する第２半導体レーザ（図示せず）と、ＣＤ用として波長λが７８０ｎｍ前後のレーザ光を出射する第３半導体レーザ（図示せず）とが取り付けられている。
【００４０】
尚、Ｂｌｕ−ｒａｙ  Ｄｉｓｃ，ＨＤ  ＤＶＤ，ＤＶＤ，ＣＤなどの複数種の光ディスクＤに対して記録又は再生をする場合の光学系については、先に示した特許文献２（特開２００７−２６５４０号公報）により公知であるので、ここでの詳述を省略する。
【００４１】
また、光ピックアップベース２１の上面２１ａ上には、第１，第２対物レンズ組立体直線移動機構３０の基台となる光ピックアップ移動体３１の一端側と、この光ピックアップ移動体３１に対して分離して取り付けたナット部材３４とが光ピックアップベース２１上に２本のネジ３２を介して取り付けたスライドシャフト３３によって光ディスクＤの径方向と直交した接線方向となる矢印Ｙ１，Ｙ２方向に案内され、且つ、光ピックアップ移動体３１の他端側が光ピックアップベース２１の上面２１ａに形成したガイドレール２１ｂに案内されていると共に、ナット部材３４が光ピックアップベース２１上にモータブラケット３５を介して取り付けられたステッピングモータ３６の軸に固着したリードスクリュー３７に螺合していているので、ステッピングモータ３６を駆動することで、後述するように、リードスクリュー３７の回転に伴って光ピックアップ移動体３１とナット部材３４とが一体となって矢印Ｙ１，Ｙ２方向に移動する第１態様と、光ピックアップ移動体３１Ｂが光ピックアップベース２１上に設けた第１，第２ストッパ２１ｃ，２１ｄに当接した後にナット部材３４Ｂのみが更に矢印Ｙ１，Ｙ２方向に移動する第２態様とを取りえるよう構成されている。
【００４２】
更に、光ピックアップ移動体３１上には、光ピックアップ装置２０の一部を構成する構成部材として、第１，第２対物レンズ組立体６０Ａ，６０Ｂが接着剤を用いて光ディスクＤの接線方向（矢印Ｙ１，Ｙ２方向）に沿って互いに対向して対称に固着されている。この際、第１対物レンズ組立体６０Ａは、Ｂｌｕ−ｒａｙ  Ｄｉｓｃに対応して開口数（ＮＡ）が０．８５程度の第１対物レンズ６２Ａが内蔵されている。一方、第２対物レンズ組立体６０Ｂは、ＨＤ  ＤＶＤ，ＤＶＤ及びＣＤに対応して開口数（ＮＡ）が０．６５程度の第２対物レンズ６２Ｂが内蔵されている。尚、第１対物レンズ組立体６０Ａと第２対物レンズ組立体６０Ｂとの取り付け位置を入れ替えて良いものである。
【００４３】
この実施例において、複数種の光ディスクＤに対して選択的に記録又は再生をするには、選択された各光ディスクＤの種類に対応して第１対物レンズ組立体６０Ａ内の第１対物レンズ６２Ａ又は第２対物レンズ組立体６０Ｂ内の第２対物レンズ６２Ｂを光ディスクＤの中心を通り且つ２本のガイドシャフト１２，１３と平行な仮想中心線Ｋに沿って移動できるように第１対物レンズ６２Ａ又は第２対物レンズ６２Ｂの各記録再生位置を切り換える必要があるので、光ピックアップベース２１の上面２１ａ上の左右には、光ピックアップ移動体３１上に取り付けた第１，第２対物レンズ組立体６０Ａ，６０Ｂを第１，第２記録再生位置となる第１，第２停止位置にそれぞれ位置決めするための第１，第２ストッパ２１ｃ，２１ｄが一軸方向となる矢印Ｙ１，Ｙ２方向に所定の間隔を離して設けられている。
【００４４】
尚、選択された各光ディスクＤの種類を判別する方法は、例えば特開２００６−１３４３６７号公報などの公知の方法を採用すれば良いものである。
【００４５】
従って、図２（ａ）に示した如く、光ピックアップ移動体３１をスライドシャフト３３及び光ピックアップベース２１のガイドレール２１ｂに沿って矢印Ｙ１方向に移動させて、光ピックアップ移動体３１の右側を第１ストッパ２１ｃに当接させると、第１対物レンズ組立体６０Ａ内の第１対物レンズ６２Ａが前記した仮想中心線Ｋ上に位置するので、第１対物レンズ６２Ａが第１停止位置（第１記録再生位置）に至る。
【００４６】
一方、図２（ｂ）に示した如く、光ピックアップ移動体３１をスライドシャフト３３及び光ピックアップベース２１のガイドレール２１ｂに沿って上記とは逆に矢印Ｙ２方向に移動させて、光ピックアップ移動体３１の左側を第２ストッパ２１ｄに当接させると、第１対物レンズ組立体６０Ｂ内の第２対物レンズ６２Ｂが前記した仮想中心線Ｋ上に位置するので、第２対物レンズ６２Ｂが第２停止位置（第２記録再生位置）に至る。
【００４７】
ここで、第１，第２対物レンズ組立体６０Ａ，６０Ｂを光ディスクＤの径方向と直交した接線方向（矢印Ｙ１，Ｙ２方向）に移動させる第１，第２対物レンズ組立体直線移動機構３０の各構成部材について、図３〜６を用いて説明する。
【００４８】
図３は本発明に係る光ピックアップ装置及び第１，第２対物レンズ組立体直線移動機構を分解して示した分解斜視図、
図４は本発明に係る光ピックアップ装置及び第１，第２対物レンズ組立体直線移動機構を一部分解して示した一部分解斜視図、
図５（ａ），（ｂ）は図３に示したカムプレートを拡大して示した側面図，上面図、
図６（ａ）は図３に示した光ピックアップ移動体，リンクアーム，ナット部材を拡大して示した斜視図であり、（ｂ）はナット部材を拡大して示した上面図である。
【００４９】
まず、図３に示した如く、箱状に形成された光ピックアップベース２１の上面２１ａで図示後方の中央部位には、第１〜第３半導体レーザ(図示せず)から出射した各レーザ光を透過させると共に、複数種の光ディスクＤで反射された各レーザ光を透過させるレーザ光通過孔２１ａ１が貫通して穿設されている。また、光ピックアップベース２１の上面２１ａの略中央部位には、モータブラケット３５を介してステッピングモータ３６の軸に固着したリードスクリュー３７が取り付けられている。
【００５０】
また、光ピックアップベース２１の上面２１ａ上でリードスクリュー３７の近傍に軸部２１ｅが上方に向かって突出形成されており、且つ、第１ストッパ２１ｃと第２ストッパ２１ｄとの中間に位置した軸部２１ｅにアーム４２の中心に穿設した中心孔４２ａが嵌合して、アーム４２が軸部２１ｅを中心に時計方向又は反時計方向に回動自在に設けられている。
【００５１】
上記したアーム４２は、中心孔４２ａを中心に左右対称に長尺に形成されており、且つ、中心孔４２ａを中心にした右側及び左側に後述する光ピックアップ移動体３１に形成した第１，第２被押圧部３１ｉ，３１ｊを押圧する第１，第２押圧部４２ｂ，４２ｃが所定の間隔を隔てて逆Ｌ字状に曲げ形成されていると共に、右端部４２ｄ及び左端部４２ｅに後述するナット部材３４に形成した第１，第２カム状バネ摺接部３４ｄ，３４ｅに摺接するように第１，第２捩じりバネ４３，４４が取り付けられている。この際、第１捩じりバネ４３は、第１ストッパ２１ｃに当接した光ピックアップ移動体３１を第１ストッパ２１ｃ側に押圧する機能を備えており、一方、第２捩じりバネ４４は、第２ストッパ２１ｄに当接した光ピックアップ移動体３１を第２ストッパ２１ｄ側に押圧する機能を備えている。
【００５２】
また、光ピックアップベース２１の上面２１ａ上に形成したネジ部２１ｆにカムプレート５１の取り付け部５１ａが取り付けられている。
【００５３】
上記したカムプレート５１は、図５（ａ），（ｂ）に拡大して示した如く、樹脂材を用いて取り付け部５１ａとカムプレート部５１ｂとが高さを僅かに違えて一体成形されている。この際、カムプレート５１のカムプレート部５１ｂに形成した略階段状カム溝部５１ｃは、第１傾斜カム溝５１ｃ１と水平カム溝５１ｃ２と第２傾斜カム溝５１ｃ３とが略階段状に連接されている。
【００５４】
そして、第１，第２捩じりバネ４３，４４を取り付けたアーム４２の中心孔４２ａを光ピックアップベース２１の上面２１ａ上の軸部２１ｅに回動可能に支持した上で、アーム４２の中心部位上方にカムプレート５１の略階段状カム溝部５１ｃが重なるようにカムプレート５１を光ピックアップベース２１の上面２１ａ上に取り付けた状態は、図４に示した如くとなる。
【００５５】
図３に戻り、光ピックアップ移動体３１とナット部材３４とは分離されており、且つ、ナット部材３４を光ピックアップ移動体３１に跨がせて両者３１，３４間にリンクアーム５２を介装させた状態で両者３１，３４をスライドシャフト３３に嵌合させている。
【００５６】
ここで、上記した光ピックアップ移動体３１は、アルミダイキャスト材を用いて一体成形されており、平坦な上面３１ａ上にレーザ光を通過させる２個のレーザ光通過孔３１ｂと第１，第２対物レンズ組立体６０Ａ，６０Ｂの取り付け位置を調整するために合計８個の取り付け位置調整孔（一部は半円状切り欠き）３１ｃとが穿設され、且つ、この上面３１ａ上に第１対物レンズ６２Ａを内蔵した第１対物レンズ組立体６０Ａと第２対物レンズ６２Ｂを内蔵した第１対物レンズ組立体６０Ｂとが矢印Ｙ１，Ｙ２方向に沿って取り付けられている。
【００５７】
また、光ピックアップ移動体３１は、上面３１ａよりも図示手前側にスライドシャフト３３が嵌合するシャフト孔３１ｄを有するシャフト孔用凸部３１ｅが矢印Ｙ１，Ｙ２方向に沿って分かれて上方に向かって突出形成され、且つ、シャフト孔用凸部３１ｅに連接してナット部材３４を後述するリンクアーム５２を介して連結させるためのナット支持部３１ｆがシャフト孔用凸部３１ｅよりも低い位置に平坦に形成されてここに孔３１ｋが穿設されていると共に、ナット支持部３１ｆの裏面側にアーム４２の第１，第２押圧部４２ｂ，４２ｃが当接しながら案内されるガイド壁部３１ｈが光ピックアップ移動体３１の移動方向（矢印Ｙ１，Ｙ２方向）と平行にアーム４２の第１，第２押圧部４２ｂ，４２ｃ間の間隔よりも長尺に形成され、更に、光ピックアップベース２１の第１，第２ストッパ２１ｃ，２１ｄと対向するガイド壁部３１ｈの右側面側及び左側面側にアーム４２の第１，第２押圧部４２ｂ，４２ｃが当接して押圧される第１，第２被押圧部３１ｉ，３１ｊが形成されている。
【００５８】
また、図６（ａ），（ｂ）に拡大して示した如く、上記したナット部材３４は樹脂材を用いて一体成形されており、平坦な被支持部３４ａの両側にスライドシャフト３３が嵌合するシャフト孔３４ｆを有するシャフト孔用凸部３４ｇが矢印Ｙ１，Ｙ２方向に沿って分かれて上方に向かって突出形成され、且つ、平坦な被支持部３４ａ上で光ピックアップ移動体３１のナット支持部３１ｆに重なる部位にＺ字状カム溝部３４ｈが貫通して穿設されている。
【００５９】
この際、ナット部材３４の被支持部３４ａ上に形成したＺ字状カム溝部３４ｈは、第１水平溝３４ｈ１と垂直溝３４ｈ２と第２水平溝３４ｈとがＺ字状に連接されている。
【００６０】
一方、ナット部材３４の被支持部３４ａに連接して前記したリードスクリュー３７（図３）に螺合するナット部３４ｃが図示前方に向かって突出形成されていると共に、光ピックアップベース２１上の第１，第２ストッパ２１ｃ，２１ｄと対向する右側面及び左側面にアーム４２に取り付けた第１，第２捩じりバネ４３，４４が摺接する第１，第２カム状バネ摺接部３４ｄ，３４ｅが円弧状カムとして形成されている。この際、ナット部材３４のナット部３４ｃ内には不図示の圧縮バネが装着されており、この圧縮バネの付勢力でナット部３４ｃを前記したリードスクリュー３７（図３）に押し当て螺合させることで、リードスクリュー３７に対して側圧を付与している。
【００６１】
次に、光ピックアップ移動体３１とナット部材３４との間に介装されるリンクアーム５２は、図６（ａ），（ｂ）に拡大して示した如く、一端側から上方に向かって突出させた第１ピン部５２ａと、一端と反対の他端側から下方に向かって突出させた第２ピン部５２ｂとを備えている。
【００６２】
そして、リンクアーム５２の第１ピン部５２ａを、光ピックアップ移動体３１のナット支持部３１ｆの裏面側からここに形成した孔３１ｋ内に回動可能に支持させると共に、リンクアーム５２の第２ピン部５２ｂを、ナット部材３４の被支持部３４ａの上方からここに形成したＺ字状カム溝部３４ｈを通過させた後に、光ピックアップベース２１の上面２１ａ上に取り付けたカムプレート５１の略階段状カム溝部５１ｃ（図３，図４）に嵌合させている。
【００６３】
従って、光ピックアップ移動体３１の上面３１ａ上に第１，第２対物レンズ組立体６０Ａ，６０Ｂを取り付け、且つ、光ピックアップ移動体３１のナット支持部３１ｆの裏面にリンクアーム５２を介してナット部材３４を取り付けると、ナット部材３４は光ピックアップ移動体３１のナット支持部３１ｆの裏面を跨ぐので、光ピックアップ移動体３１とナット部材３４とがスライドシャフト３３に沿って移動可能になり、図４に示した如くとなる。
【００６４】
そして、リンクアーム５２の第２ピン部５２ｂがカムプレート５１の略階段状カム溝部５１ｃ中の第１傾斜カム溝５１ｃ１，水平カム溝部５１ｃ２，第２傾斜カム溝５１ｃ２のいずれかに嵌合する位置に対応してリンクアーム５２を第１ピン部５２ａを中心にして回動させて、下記の図７〜図１１に示したように、リンクアーム５２の第２ピン部５２ｂをナット部材３４のＺ字状カム溝部３４ｈ中の第１水平溝３４ｈ１，垂直溝３４ｈ２，第２水平溝３４ｈ２のいずれかに嵌合するように切り換えている。
【００６５】
図７（ａ），（ｂ）は本発明に係る光ピックアップ装置において、第１，第２対物レンズ組立体直線移動機構の動作を説明するための第１動作図、
図８（ａ），（ｂ）は本発明に係る光ピックアップ装置において、第１，第２対物レンズ組立体直線移動機構の動作を説明するための第２動作図、
図９（ａ），（ｂ）は本発明に係る光ピックアップ装置において、第１，第２対物レンズ組立体直線移動機構の動作を説明するための第３動作図、
図１０（ａ），（ｂ）は本発明に係る光ピックアップ装置において、第１，第２対物レンズ組立体直線移動機構の動作を説明するための第４動作図、
図１１（ａ），（ｂ）は本発明に係る光ピックアップ装置において、第１，第２対物レンズ組立体直線移動機構の動作を説明するための第５動作図である。
【００６６】
まず、図７（ａ）に示した如く、第１，第２対物レンズ組立体直線移動機構３０における第１動作図では、光ピックアップ移動体３１と、この光ピックアップ移動体３１の裏面にリンクアーム５２を介して連結されたナット部材３４とが一体となって、光ピックアップベース２１上に設けた第１ストッパ２１ｃと第２ストッパ２１ｄとの間をスライドシャフト３３に沿って矢印Ｙ１,Ｙ２方向に移動自在になっていると共に、後述するように、光ピックアップベース２１上に回動可能に設けたアーム４２は、光ピックアップ移動体３１の移動方向と平行な姿勢を取っている。
【００６７】
この際、図７（ｂ）に拡大して示した如く、リンクアーム５２の第２ピン部５２ｂは、光ピックアップベース２１上のカムプレート５１に形成した略階段状カム溝部５１ｃ中の水平カム溝５１ｃ２内を矢印Ｙ１，Ｙ２方向に移動自在に嵌合するように第１ピン部５２ａを回動支点として回動するので、リンクアーム５２の第２ピン部５２ｂはナット部材３４に形成したＺ字状カム溝部３４ｈ中の垂直溝３４ｈ２の略中央部位に嵌合する。従って、リンクアーム５２の第２ピン部５２ｂがナット部材３４に形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、光ピックアップ移動体３１とナット部材３４とが一体となって矢印Ｙ１,Ｙ２方向に移動自在になる第１態様を取ることになる。
【００６８】
次に、図８（ａ）に示した如く、第１，第２対物レンズ組立体直線移動機構における第２動作図では、光ピックアップ移動体３１と、この光ピックアップ移動体３１の裏面にリンクアーム５２を介して連結されたナット部材３４とが一体となって矢印Ｙ１方向に移動し、光ピックアップ移動体３１の右側面が光ピックアップベース２１上に設けた第１ストッパ２１ｃに当接して第１停止位置（第１記録再生位置）に至り、光ピックアップ移動体３１の矢印Ｙ１方向への移動が停止する。この場合も、光ピックアップベース２１上に回動可能に設けたアーム４２は、光ピックアップ移動体３１の移動方向と平行な姿勢を取っている。
【００６９】
この際、図８（ｂ）に拡大して示した如く、リンクアーム５２の第２ピン部５２ｂは、光ピックアップベース２１上のカムプレート５１に形成した略階段状カム溝部５１ｃ中の第２傾斜カム溝５１ｃ３内に移動するように第１ピン部５２ａを回動支点として回動するので、リンクアーム５２の第２ピン部５２ｂはナット部材３４に形成したＺ字状カム溝部３４ｈ中の垂直溝３４ｈ２の略上方部位に嵌合する。従って、リンクアーム５２の第２ピン部５２ｂがナット部材３４に形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、この段階まで光ピックアップ移動体３１とナット部材３４とが一体となって移動可能な第１態様を取ることになる。
【００７０】
次に、図９（ａ）に示した如く、第１，第２対物レンズ組立体直線移動機構３０における第３動作図では、光ピックアップ移動体３１が第１停止位置（第１記録再生位置）で停止しているものの、光ピックアップ移動体３１に対して分離したナット部材３４のみが更に矢印Ｙ１方向に移動可能になっている。この場合には、後述するように、ナット部材３４の矢印Ｙ１方向の移動に伴って、光ピックアップベース２１上に回動可能に設けたアーム４２は、時計方向に回動する。
【００７１】
この際、図９（ｂ）に拡大して示した如く、リンクアーム５２の第２ピン部５２ｂは、光ピックアップベース２１上のカムプレート５１に形成した略階段状カム溝部５１ｃ中の第２傾斜カム溝５１ｃ３の上端部位に移動するように第１ピン部５２ａを回動支点として回動するので、リンクアーム５２の第２ピン部５２ｂはナット部材３４に形成したＺ字状カム溝部３４ｈ中の第１水平溝３４ｈ１に嵌合する。従って、リンクアーム５２の第２ピン部５２ｂがナット部材３４に形成したＺ字状カム溝部３４ｈ中の第１水平溝３４ｈ１内に嵌合している時には、リンクアーム５２の第２ピン部５２ｂがＺ字状カム溝部３４ｈの第１水平溝３４ｈ１内を移動できるので、ナット部材３４のみが更に矢印Ｙ１方向に移動自在になる第２態様を取ることになる。
【００７２】
次に、図１０（ａ）に示した如く、第１，第２対物レンズ組立体直線移動機構３０における第４動作図では、光ピックアップ移動体３１と、この光ピックアップ移動体３１の裏面にリンクアーム５２を介して連結されたナット部材３４とが一体となって矢印Ｙ２方向に移動し、光ピックアップ移動体３１の左側面が光ピックアップベース２１上に設けた第２ストッパ２１ｄに当接して第２停止位置（第２記録再生位置）に至り、光ピックアップ移動体３１の矢印Ｙ２方向への移動が停止する。この場合も、光ピックアップベース２１上に回動可能に設けたアーム４２は、光ピックアップ移動体３１の移動方向と平行な姿勢を取っている。
【００７３】
この際、図１０（ｂ）に拡大して示した如く、リンクアーム５２の第２ピン部５２ｂは、光ピックアップベース２１上のカムプレート５１に形成した略階段状カム溝部５１ｃ中の第１傾斜カム溝５１ｃ１内に移動するように第１ピン部５２ａを回動支点として回動するので、リンクアーム５２の第２ピン部５２ｂはナット部材３４に形成したＺ字状カム溝部３４ｈ中の垂直溝３４ｈ２の略下方部位に嵌合する。従って、リンクアーム５２の第２ピン部５２ｂがナット部材３４に形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、この段階でも光ピックアップ移動体３１とナット部材３４とが一体となって移動可能な第１態様を取ることになる。
【００７４】
次に、図１１（ａ）に示した如く、第１，第２対物レンズ組立体直線移動機構３０における第５動作図では、光ピックアップ移動体３１が第２停止位置（第２記録再生位置）で停止しているものの、光ピックアップ移動体３１に対して分離したナット部材３４のみが更に矢印Ｙ２方向に移動可能になっている。この場合には、後述するように、ナット部材３４の矢印Ｙ２方向の移動に伴って、光ピックアップベース２１上に回動可能に設けたアーム４２は、反時計方向に回動する。
【００７５】
この際、図１１（ｂ）に拡大して示した如く、リンクアーム５２の第２ピン部５２ｂは、光ピックアップベース２１上のカムプレート５１に形成した略階段状カム溝部５１ｃ中の第１傾斜カム溝５１ｃ１の下端部位に移動するように第１ピン部５２ａを回動支点として回動するので、リンクアーム５２の第２ピン部５２ｂはナット部材３４に形成したＺ字状カム溝部３４ｈ中の第２水平溝３４ｈ３に嵌合する。従って、リンクアーム５２の第２ピン部５２ｂがナット部材３４に形成したＺ字状カム溝部３４ｈ中の第２水平溝３４ｈ３内に嵌合している時には、リンクアーム５２の第２ピン部５２ｂがＺ字状カム溝部３４ｈの第２水平溝３４ｈ３内を移動できるので、ナット部材３４のみが更に矢印Ｙ２方向に移動自在になる第２態様を取ることになる。
【００７６】
次に、上記のように構成した第１，第２対物レンズ組立体直線移動機構３０において、光ピックアップ移動体３１を第１停止位置（第１記録再生位置）又は第２停止位置（第２記録再生位置）に押圧する動作について、図１２（ａ），（ｂ）及び図１３（ａ），（ｂ）を用いて説明する。
【００７７】
図１２（ａ），（ｂ）は本発明に係る光ピックアップ装置において、光ピックアップ移動体が第１停止位置に至った際に光ピックアップ移動体を第１ストッパ側に押圧する動作を説明するために裏面から見た平面図、
図１３（ａ），（ｂ）は本発明に係る光ピックアップ装置において、光ピックアップ移動体が第２停止位置に至った際に光ピックアップ移動体を第２ストッパ側に押圧する動作を説明するために裏面から見た平面図である。
【００７８】
この際、図１２（ａ），（ｂ）及び図１３（ａ），（ｂ）において、光ピックアップベース２１上では、アーム４２がこの中心孔４２ａを軸部２１ｅに嵌合して回動可能になっていると共に、光ピックアップ移動体３１と、光ピックアップ移動体３１に対して分離したナット部材３４とが光ピックアップベース２１上に設けた第１ストッパ２１ｃと第２ストッパ２１ｄとの間をスライドシャフト３３に案内されながらパルスモータ３６（図１，図３）によりパルス駆動されているので、光ピックアップ移動体３１の停止動作はパルス数の計数に基づいて行われている。
【００７９】
まず、図１２（ａ）に示した如く、光ピックアップ移動体３１と、光ピックアップ移動体３１に対して分離したナット部材３４とが一体となってスライドシャフト３３に案内されながら矢印Ｙ１方向に向かって移動している最中では、光ピックアップ移動体３１のガイド壁部３１ｈに沿ってアーム４２の第１，第２押圧部４２ｂ，４２ｃが当接しているので、アーム４２は回動することなく光ピックアップ移動体３１の移動方向と平行な姿勢を取っている。従って、アーム４２の右端部４２ｄ及び左端部４２ｅに取り付けた第１，第２捩じりバネ４３，４４の各端部４３ａ，４４ａはナット部材３４の第１,第２カム状バネ摺接部３４ｄ，３４ｅに摺接しないので、第１，第２捩じりバネ４３，４４の付勢力が光ピックアップ移動体３１に加わらないために、光ピックアップ移動体３１を軽負荷で矢印Ｙ１方向に移動できる。
【００８０】
更に、図１２（ｂ）に示した如く、光ピックアップ移動体３１と、光ピックアップ移動体３１に対して分離したナット部材３４とが一体となって更に矢印Ｙ１方向に移動すると、先に図９を用いて説明したと同様に、光ピックアップ移動体３１の右側面が光ピックアップベース２１上の第１ストッパ２１ｃに当接して光ピックアップ移動体３１が第１停止位置（第１記録再生位置）に停止するものの、光ピックアップ移動体３１に対して分離したナット部材３４のみが更に第１ストッパ２１ｃの方向（矢印Ｙ１方向）に移動するので、アーム４２の右端部４２ｄに取り付けた第１捩じりバネ４３中で起立した端部４３ａがナット部材３４の第１カム状バネ摺接部３４ｄに当接してこの第１カム状バネ摺接部３４ｄに沿って摺接しながら下方に移動させられて第１カム状バネ摺接部３４ｄの下端部位に掛止されるために、これに伴って、アーム４２が光ピックアップベース２１上の軸部２１ｅを中心にして時計方向に回動する。
【００８１】
そして、アーム４２が時計方向に回動すると、第１捩じりバネ４３の付勢力がアーム４２の第２押圧部４２ｃに伝達されて、このアーム４２の第２押圧部４２ｃが光ピックアップ移動体３１の第２被押圧部３１ｊに当接して第２被押圧部３１ｊに第１捩じりバネ４３の付勢力が加わるために、光ピックアップ移動体３１が光ピックアップベース２１上の第１ストッパ２１ｃ側に押圧されて第１停止位置（第１記録再生位置）に確実に位置決めされる。
【００８２】
次に、図１３（ａ）に示した如く、光ピックアップ移動体３１と、光ピックアップ移動体３１に対して分離したナット部材３４とが一体となってスライドシャフト３３に案内されながら矢印Ｙ２方向に向かって移動している最中では、光ピックアップ移動体３１のガイド壁部３１ｈに沿ってアーム４２の第１，第２押圧部４２ｂ，４２ｃが当接しているので、アーム４２は回動することなく光ピックアップ移動体３１の移動方向と平行な姿勢を取っている。従って、アーム４２の右端部４２ｄ及び左端部４２ｅに取り付けた第１，第２捩じりバネ４３，４４の各端部４３ａ，４４ａはナット部材３４の第１,第２カム状バネ摺接部３４ｄ，３４ｅに摺接しないので、第１，第２捩じりバネ４３，４４の付勢力が光ピックアップ移動体３１に加わらないために、光ピックアップ移動体３１を軽負荷で矢印Ｙ２方向に移動できる。
【００８３】
更に、図１３（ｂ）に示した如く、光ピックアップ移動体３１と、光ピックアップ移動体３１に対して分離したナット部材３４とが一体となって更に矢印Ｙ２方向に移動すると、先に図１１を用いて説明したと同様に、光ピックアップ移動体３１の左側面が光ピックアップベース２１上の第２ストッパ２１ｄに当接して光ピックアップ移動体３１が第２停止位置（第２記録再生位置）に停止するものの、光ピックアップ移動体３１に対して分離したナット部材３４のみが更に第２ストッパ２１ｄの方向（矢印Ｙ２方向）に移動するので、アーム４２の左端部４２ｅに取り付けた第２捩じりバネ４４中で起立した端部４４ａがナット部材３４の第２カム状バネ摺接部３４ｅに当接してこの第２カム状バネ摺接部３４ｅに沿って摺接しながら下方に移動させられて第２カム状バネ摺接部３４ｅの下端部位に掛止されるために、これに伴って、アーム４２が光ピックアップベース２１上の軸部２１ｅを中心にして反時計方向に回動する。
【００８４】
そして、アーム４２が反時計方向に回動すると、第２捩じりバネ４３の付勢力がアーム４２の第１押圧部４２ｂに伝達されて、このアーム４２の第１押圧部４２ｂが光ピックアップ移動体３１の第１被押圧部３１ｉに当接して第１被押圧部３１ｉに第１捩じりバネ４３の付勢力が加わるために、光ピックアップ移動体３１が光ピックアップベース２１上の第２ストッパ２１ｄ側に押圧されて第２停止位置（第２記録再生位置）に確実に位置決めされる。
【００８５】
上記したように、この実施例では、第１，第２対物レンズ組立体６０Ａ，６０Ｂを取り付けた光ピックアップ移動体３１が光ピックアップベース２１上の第１ストッパ２１ｃ又は第２ストッパ２１ｄに当接したときのみ、光ピックアップ移動体３１に対して分離したナット部材３４のみが更に光ピックアップベース２１上の第１ストッパ２１ｃ側又は第２ストッパ２１ｄ側に移動することで、光ピックアップ移動体３１にアーム４２に取り付けた第１捩じりバネ４３の付勢力又は第２捩じりバネ４４の付勢力が加わるので、光ピックアップ移動体３１の移動中の負荷を軽減することができると共に、光ピックアップ移動体３１が光ピックアップベース２１上の第１ストッパ２１ｃ又は第２ストッパ２１ｄに当接した第１停止位置（第１記録再生位置）又は第２停止位置（第２記録再生位置）で停止した時に、第１捩じりバネ４３の付勢力又は第２捩じりバネ４４の付勢力により第１ストッパ２１ｃ側又は第２ストッパ２１ｄ側に押圧されるので、予期しない振動や衝撃力が加わっても光ピックアップ移動体３１を第１対物レンズ組立体６０Ａの記録再生位置となる第１停止位置又は第２対物レンズ組立体６０Ｂの記録再生位置となる第２停止位置に確実に位置決めすることができる。
【００８６】
ここで、本発明に係る光ピックアップ２０において、要部となる第１，第２対物レンズ組立体６０Ａ，６０Ｂの構成及び第１，第２対物レンズ組立体６０Ａ，６０Ｂを複数種の光ディスクＤの径方向と直交した接線方向に移動自在な光ピックアップ移動体３１上に固着させる場合の具体例について図１４〜図１８を用いて説明する。
【００８７】
図１４は本発明の要部となる第１，第２対物レンズ組立体の構成を説明するための斜視図、
図１５は本発明の要部となる第１，第２対物レンズ組立体を光ピックアップ移動体上に固着させた状態を示した斜視図、
図１６（ａ），（ｂ）は本発明の要部となる第１，第２対物レンズ組立体の各ヨークベースの下面と光ピックアップ移動体の上面との間に接着剤を充填させた状態を示した正面図，側面図、
図１７（ａ），（ｂ）は本発明の要部となる第１，第２対物レンズ組立体を光ピックアップ移動体上に接着剤を用いて固着させる際に、取り付け位置調整とチルト調整を説明するために断面して示した正面図，側面図、
図１８は本発明の要部となる第１，第２対物レンズ組立体を光ピックアップ移動体上に固着させた状態で第１，第２対物レンズに入射するレーザ光の反射状態を説明するための縦断面図であり、（ａ）は本発明の場合を示し、（ｂ）は比較例の場合を示した図である。
【００８８】
図１４に拡大して示した如く、本発明の要部となる第１，第２対物レンズ組立体６０Ａ，６０Ｂは、開口数がそれぞれ異なる第１，第２対物レンズ６２Ａ，６２Ｂを除いて同一の部材を用いて構成されている
即ち、上記した第１対物レンズ組立体６０Ａ又は第１対物レンズ組立体６０Ｂでは、基台となるヨークベース６１が軟磁性鋼板などを用いてＬ字状に曲げ形成されている。このヨークベース６１は、下面６１ａ及び上面６１ｂが共に平坦に形成されており、且つ、下面６１ａ及び上面６１ｂの一端部側にＬ字状に曲げ形成されたＬ字状曲げ片６１ｃが上方に向かって垂直に起立している。更に、ヨークベース６１の下面６１ａ及び上面６１ｂの中間部位を貫通してレーザ光通過孔６１ｄ（図１８のみ図示）が穿設され、且つ、周辺部位に複数の位置決め孔６１ｅが穿設されており、これら複数の位置決め孔６１ｅは後述するように第１，第２対物レンズ組立体６０Ａ，６０Ｂを光ピックアップ移動体３１上に接着する際に位置調整用として用いられるものである。
【００８９】
また、ヨークベース６１の上面６１ｂの上方には、第１対物レンズ６２Ａ又は第２対物レンズ６２Ｂを内蔵したレンズホルダ６３が、この周囲にトラッキングコイルとフォーカスコイルとを巻回させたフレキシブルコイル基板６４を両側に固着した状態でヨークベース６１の両側にそれぞれ配置された複数本のサスペンションワイヤ６５によって揺動自在に支持されている。
【００９０】
また、ヨークベース６１の上面６１ｂ上でＬ字状曲げ片６１ｃとは反対側の他端部側に樹脂成形されたサスペンションホルダ６６が固着されており、このサスペンションホルダ６６の外面にプリント配線基板６７が取り付けられている。
【００９１】
そして、複数本のサスペンションワイヤ６５の各一端部側は自由端となっており、且つ、各中間部位がレンズホルダ６３の両側に固着したフレキシブルコイル基板６４に半田付けされ、更に、各他端部側はサスペンションホルダ６６の両側に形成された角孔内に充填されたダンパ剤６８を通り抜けてプリント配線基板６７に半田付けされている。
【００９２】
また、ヨークベース６１の上面６１ｂ上でＬ字状曲げ片６１ｃとレンズホルダ６３との間に第１マグネット６９が取り付けられ、且つ、レンズホルダ６３とサスペンションホルダ６６との間に第２マグネット７０が取り付けられており、これら一対の第１，第２マグネット６９，７０はレンズホルダ６３を挟んで互いに対向している。
【００９３】
この際、ヨークベース６１のＬ字状曲げ片６１ｃの外面と第１対物レンズ６２Ａ又は第２対物レンズ６２Ｂの中心との間の寸法をＮ１と設定し、且つ、第１対物レンズ６２Ａ又は第２対物レンズ６２Ｂの中心とサスペンションホルダ６６に固着したプリント配線基板６７の外面との間の寸法をＮ２と設定した時に、寸法Ｎ１＜寸法Ｎ２に設定されている。
【００９４】
更に、図１５に示した如く、上記構成による第１，第２対物レンズ組立体６０Ａ，６０Ｂを光ピックアップ移動体３１上で光ディスクＤ（図１，図２）の径方向と直交した接線方向となる矢印Ｙ１，Ｙ２方向に沿って固着させているが、この際、光ピックアップ移動体３１上で第１，第２対物レンズ組立体用の一対のサスペンションホルダ６６，６６を第１，第２対物レンズ６２Ａ，６２Ｂを挟んで互いに対向配置させて、第１，第２対物レンズ６２Ａ，６２Ｂ同士を互いに近づけ、且つ、サスペンションホルダ６６，６６同士を互いに遠ざけることで、第１，第２対物レンズ組立体６０Ａ，６０Ｂが僅かな隙間Ｓを隔てて互いに対称に固着されている。これにより、光ピックアップ移動体３１は光ディスクＤ（図１，図２）の接線方向（矢印Ｙ１，Ｙ２方向）の幅を小さく設定できるので、光ピックアップ装置２０（図１〜図４）の小型化を図ることができる。
【００９５】
尚、第１，第２対物レンズ６２Ａ，６２Ｂの上方には、これらの第１，第２対物レンズ６２Ａ，６２Ｂを臨ませる孔７１ａ，７１ｂを貫通して穿設したカバー７１が取り付けられている。
【００９６】
そして、上記構成による第１，第２対物レンズ組立体６０Ａ，６０Ｂを動作させた時に、一対の第１，第２マグネット６９，７０と、レンズホルダ６３に固着したフレキシブルコイル基板６４中のトラッキングコイルとフォーカスコイルとによる電磁作用により、複数本のサスペンションワイヤ６４を介してレンズホルダ６３と一体に第１対物レンズ６２Ａ又は第２対物レンズ６２Ｂが光ディスクＤ（図１，図２）の径方向となる矢印Ｘ１，Ｘ２方向にトラッキング制御されると共に、第１対物レンズ６２Ａ又は第２対物レンズ６２Ｂが光ディスクＤ（図１，図２）の方向にフォーカス制御されるようになっている。
【００９７】
次に、図１６（ａ），（ｂ）に示した如く、第１，第２対物レンズ組立体６０Ａ，６０Ｂを光ディスクＤ（図１，図２）の接線方向に移動自在な光ピックアップ移動体３１上に固着させる場合に、第１，第２対物レンズ組立体６０Ａ，６０Ｂの各ヨークベース６１の下面６１ａと光ピックアップ移動体３１の上面３１ａとの間に熱硬化性接着剤７２を充填させている。
【００９８】
この際、熱硬化性接着剤７２は光ピックアップ移動体３１の上面３１ａの周囲に低い高さで複数形成した接着剤固着片３１ｍの内側に沿って充填させることで、熱硬化性接着剤７２が複数の接着剤固着片３１ｍの外側にはみ出さないようになっている。この熱硬化性接着剤７２により、第１，第２対物レンズ組立体６０Ａ，６０Ｂをそれぞれ個別に組み立てた後に、第１，第２対物レンズ組立体６０Ａ，６０Ｂを光ピックアップ移動体３１上に容易に固着できるので、光ピックアップ装置２０（図１〜図４）に対して生産性を向上させることができる。
【００９９】
そして、第１，第２対物レンズ組立体６０Ａ，６０Ｂの各ヨークベース６１の下面６１ａと光ピックアップ移動体３１の上面３１ａとの間に熱硬化性接着剤７２を充填させた後に、図１７（ａ），（ｂ）に示した如く、治具８０を用いて光ピックアップ移動体３１に対して第１，第２対物レンズ組立体６０Ａ，６０Ｂの取り付け位置を調整する共に、更に、治具８０を用いて第１，第２対物レンズ組立体６０Ａ，６０Ｂ内の第１，第２対物レンズ６２Ａ，６２Ｂが複数種の光ディスクＤの各信号面Ｄｓに対して略垂直な姿勢を取るようにそれぞれ個別にチルト調整している。
【０１００】
ここで、上記した治具８０は、マグネット８１上の周囲に沿って合計で４本の鉄棒８２が植設されており、且つ、４本の鉄棒８２は各上端部を細径に形成した状態でマグネット８１により着磁されている。
【０１０１】
そして、４本の鉄棒８２をアルミダイキャスト材を用いて形成した光ピックアップ移動体３１中で第１，第２対物レンズ組立体６０Ａ，６０Ｂと対応してそれぞれ穿設した４個の取り付け位置調整孔３１ｃ内を通過させた後に、４本の鉄棒８２のうちで細径に形成した各上端部を軟磁性鋼板などを用いて形成したヨークベース６１の各位置決め孔６１ｅ内に嵌合させて、４本の鉄棒８２の着磁力によりヨークベース６１と４本の鉄棒８２とを一体化させている。
【０１０２】
この後、第１，第２対物レンズ組立体６０Ａ，６０Ｂが光ピックアップ移動体３１に対して最良の取り付け位置となるように治具８０を手動又はロボット(図示せず)を介して前後左右に移動させてそれぞれ個別に取り付け位置調整していると共に、第１，第２対物レンズ組立体６０Ａ，６０Ｂ内の第１，第２対物レンズ６２Ａ，６２Ｂが複数種の光ディスクＤの各信号面Ｄｓに対して略垂直な姿勢を取るように治具８０を手動又はロボット(図示せず)を介して傾けてそれぞれ個別にチルト調整している。
【０１０３】
そして、第１，第２対物レンズ組立体６０Ａ，６０Ｂの取り付け位置調整及び第１，第２対物レンズ組立体６０Ａ，６０Ｂ内の第１，第２対物レンズ６２Ａ，６２Ｂのチルト調整が終了した段階で熱硬化性樹脂７２に紫外線を照射して熱硬化性樹脂７２を硬化させている。
【０１０４】
これにより、とくに、従来例と異なって、第１，第２対物レンズ組立体６０Ａ，６０Ｂ内の第１，第２対物レンズ６２Ａ，６２Ｂが複数種の光ディスクＤの各信号面Ｄｓに対して略垂直な姿勢を取るようにそれぞれ個別にチルト調整できるので、光ピックアップ装置２０（図１〜図４）の性能向上を図ることができる。
【０１０５】
次に、図１８（ａ）に示した本発明の場合では、第１，第２対物レンズ組立体６０Ａ，６０Ｂを光ピックアップ移動体３１上に固着させた際に、光ピックアップ移動体３１は、複数の半導体レーザ（図示せず）から出射させた各レーザ光を第１，第２対物レンズ６２Ａ，６２Ｂ側に入射させるためのレーザ光通過孔３１ｂを２個有しており、且つ、各レーザ光が入射する下面３１ｎ側でレーザ光通過孔３１ｂの入口稜部周囲に所定の角度α°傾斜させてテーパ状に形成したレーザ光反射用テーパ孔部３１ｂ１を有している。
【０１０６】
この際、レーザ光反射用テーパ孔部３１ｂ１の所定の角度α°は、光ピックアップ移動体３１の下面３１ｎに対して２°〜３°程度に設定されている。
【０１０７】
ここで、複数の半導体レーザ（図示せず）から出射させた各レーザ光は、光ピックアップ移動体３１に形成した各レーザ光通過孔３１ｂの孔径よりも太径の光束Ｌｆであり、この光束Ｌｆが光ピックアップ移動体３１の下面３１ｎ側から各レーザ光通過孔３１ｂを通り、更に、第１，第２対物レンズ組立体６０Ａ，６０Ｂ内の各ヨークベース６１に形成した各レーザ光通過孔６１ｄを通って第１，第２対物レンズ６２Ａ，６２Ｂ側に入射され、この後、光ディスクＤの信号面Ｄｓで反射されて元の経路に戻されるが、この際に、レーザ光通過孔３１ｂの孔径よりも外側から入射される各入射光Ｌ１はレーザ光反射用テーパ孔部３１ｂ１によって光束Ｌｆの方向とは異なる角度で光束Ｌｆの内側に向かって反射されるために、レーザ光反射用テーパ孔部３１ｂ１で反射された反射光Ｌ２が複数の半導体レーザ（図示せず）側に戻ることがない。これにより、複数の半導体レーザ（図示せず）に対して反射光Ｌ２の影響が生じないために、複数の半導体レーザ（図示せず）でレーザ出力の安定的発光を行うことができる。
【０１０８】
これに対して、図１８（ｂ）に示した比較例の場合では、光ピックアップ移動体３１に形成した２個のレーザ光通過孔３１ｂは孔径寸法のままであるので、レーザ光通過孔３１ｂの孔径よりも外側から入射される各入射光Ｌ１は光ピックアップ移動体３１の下面３１ｎで反射されるので、下面３１ｎで反射された反射光Ｌ３がそのまま元の経路を経て複数の半導体レーザ（図示せず）側に戻ってしまうために、この反射光Ｌ３の影響により複数の半導体レーザ（図示せず）でレーザ出力の安定的発光を行うことができないなどの問題が生じてしまう。
【０１０９】
従って、図１８（ａ）に示した本発明の場合の方が、図１８（ｂ）に示した比較例の場合よりも光ピックアップ装置２０（図１〜図４）に対して信頼性を向上させることができる。
【０１１０】
尚、図１８（ａ）に示した本発明の場合には、２個の第１，第２対物レンズ組立体６０Ａ，６０Ｂに対応して光ピックアップ移動体３１中の２個のレーザ光通過孔３１ｂに対してレーザ光の入口稜部周囲にレーザ光反射用テーパ孔部３１ｂ１をそれぞれ形成した例を説明したが、この技術的思想を対物レンズ組立体が１個の場合に適用する場合には、対物レンズを保持したレンズホルダのうちでレーザ光の入口稜部周囲にレーザ光反射用テーパ孔部を形成すれば良いものである。
【図面の簡単な説明】
【０１１１】
【図１】本発明に係る光ピックアップ装置を適用した光ディスク装置を示した斜視図である。
【図２】本発明に係る光ピックアップ装置を適用した光ディスク装置を示した平面図であり、（ａ）は第１対物レンズが第１停止位置に至った状態を示し、（ｂ）は第２対物レンズが第２停止位置に至った状態を示した図である。
【図３】本発明に係る光ピックアップ装置及び第１，第２対物レンズ組立体直線移動機構を分解して示した分解斜視図である。
【図４】本発明に係る光ピックアップ装置及び第１，第２対物レンズ組立体直線移動機構を一部分解して示した一部分解斜視図である。
【図５】（ａ），（ｂ）は図３に示したカムプレートを拡大して示した側面図，上面図である。
【図６】（ａ）は図３に示した光ピックアップ移動体，リンクアーム，ナット部材を拡大して示した斜視図であり、（ｂ）はナット部材を拡大して示した上面図である。
【図７】（ａ），（ｂ）は本発明に係る光ピックアップ装置において、第１，第２対物レンズ組立体直線移動機構の動作を説明するための第１動作図である。
【図８】（ａ），（ｂ）は本発明に係る光ピックアップ装置において、第１，第２対物レンズ組立体直線移動機構の動作を説明するための第２動作図である。
【図９】（ａ），（ｂ）は本発明に係る光ピックアップ装置において、第１，第２対物レンズ組立体直線移動機構の動作を説明するための第３動作図である。
【図１０】（ａ），（ｂ）は本発明に係る光ピックアップ装置において、第１，第２対物レンズ組立体直線移動機構の動作を説明するための第４動作図である。
【図１１】（ａ），（ｂ）は本発明に係る光ピックアップ装置において、第１，第２対物レンズ組立体直線移動機構の動作を説明するための第５動作図である。
【図１２】（ａ），（ｂ）は本発明に係る光ピックアップ装置において、光ピックアップ移動体が第１停止位置に至った際に光ピックアップ移動体を第１ストッパ側に押圧する動作を説明するために裏面から見た平面図である。
【図１３】（ａ），（ｂ）は本発明に係る光ピックアップ装置において、光ピックアップ移動体が第２停止位置に至った際に光ピックアップ移動体を第２ストッパ側に押圧する動作を説明するために裏面から見た平面図である。
【図１４】本発明の要部となる第１，第２対物レンズ組立体の構成を説明するための斜視図である。
【図１５】本発明の要部となる第１，第２対物レンズ組立体を光ピックアップ移動体上に固着させた状態を示した斜視図である。
【図１６】（ａ），（ｂ）は本発明の要部となる第１，第２対物レンズ組立体の各ヨークベースの下面と光ピックアップ移動体の上面との間に接着剤を充填させた状態を示した正面図，側面図である。
【図１７】（ａ），（ｂ）は本発明の要部となる第１，第２対物レンズ組立体を光ピックアップ移動体上に接着剤を用いて固着させる際に、取り付け位置調整とチルト調整を説明するために断面して示した正面図，側面図である。
【図１８】本発明の要部となる第１，第２対物レンズ組立体を光ピックアップ移動体上に固着させた状態で第１，第２対物レンズに入射するレーザ光の反射状態を説明するための縦断面図であり、（ａ）は本発明の場合を示し、（ｂ）は比較例の場合を示した図である。
【図１９】従来の光ディスク装置を示した斜視図である。
【符号の説明】
【０１１２】
１０…光ディスク装置、
１１…スピンドルモータ、１１，１２…ガイドシャフト、
２０…光ピックアップ装置、
２１…光ピックアップベース、２１ａ…上面、２１ａ１…レーザ光通過孔、
２１ｂ…ガイドレール、２１ｃ…第１ストッパ、２１ｄ…第２ストッパ、２１ｅ…軸部、
３０…第１，第２対物レンズ組立体直線移動機構、
３１…光ピックアップ移動体、
３１ａ…上面、３１ｂ…レーザ光通過孔、３１ｂ１…レーザ光反射用テーパ孔部、
３１ｃ…取り付け位置調整孔（又は半円状切り欠き）、３１ｄ…シャフト孔、
３１ｅ…シャフト孔用凸部、３１ｆ…ナット支持部、３１ｇ…ネジ孔、
３１ｈ…ガイド壁部、３１ｉ…第１被押圧部、３１ｊ…第２被押圧部、３１ｋ…孔、
３１ｍ…接着剤固着片、３１ｎ…下面、
３２…ネジ、３３…スライドシャフト、
３４…ナット部材、３４ａ…被支持部、３４ｂ…取り付け孔、３３ｃ…ナット部、
３４ｄ…第１カム状バネ摺接部、３４ｅ…第２カム状バネ摺接部、
３４ｆ…シャフト孔、３４ｇ…シャフト孔用凸部、３４ｈ…Ｚ字状カム溝部、
３４ｈ１…第１水平溝、３４ｈ２…垂直溝、３４ｈ３…第２水平溝、
３５…モータブラケット、３６…ステッピングモータ、３７…リードスクリュー、
４２…アーム、４２ａ…中心孔、４２ｂ…第１押圧部、４２ｃ…第２押圧部、
４２ｄ…右端部、４２ｅ…左端部、４３…第１捩じりバネ、４４…第２捩じりバネ、
４４…皿ネジ、
５１…カムプレート、５１ａ…取り付け部、５１ｂ…カムプレート部、
５１ｃ…略階段状カム溝部、５１ｃ１…第１傾斜カム溝、５１ｃ２…水平カム溝、
５１ｃ３…第２傾斜カム溝、５２…リンクアーム、
６０Ａ…第１対物レンズ組立体、６０Ｂ…第２対物レンズ組立体、
６１…ヨークベース、６１ａ…下面、６１ｂ…上面、６１ｃ…Ｌ字状曲げ片、
６１ｄ…レーザ光通過孔、６１ｅ…位置決め孔、
６２Ａ…第１対物レンズ、６２Ｂ…第２対物レンズ、
６３…レンズホルダ、６４…フレキシブルコイル基板、
６５…サスペンションワイヤ、６６…サスペンションホルダ、
６７…プリント配線基板、６８…ダンパ剤、
６９…第１マグネット、７０…第２マグネット、７１…カバー、７２…熱硬化性接着剤、
Ｄ…光ディスク、Ｄｓ…信号面、Ｋ…仮想中心線。
【図１】
2008234694.tif 000003
【図２】
2008234694.tif 000004
【図３】
2008234694.tif 000005
【図４】
2008234694.tif 000006
【図５】
2008234694.tif 000007
【図６】
2008234694.tif 000008
【図７】
2008234694.tif 000009
【図８】
2008234694.tif 000010
【図９】
2008234694.tif 000011
【図１０】
2008234694.tif 000012
【図１１】
2008234694.tif 000013
【図１２】
2008234694.tif 000014
【図１３】
2008234694.tif 000015
【図１４】
2008234694.tif 000016
【図１５】
2008234694.tif 000017
【図１６】
2008234694.tif 000018
【図１７】
2008234694.tif 000019
【図１８】
2008234694.tif 000020
【図１９】
2008234694.tif 000021